【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
処理対象の表面に接触して所望の処理を施す回転ブラシを備えた表面処理装置の搬送コンベアであって、
多数の吸引孔が形成されており、前記処理対象を搬送方向へ送って前記回転ブラシを通過させるコンベアベルト，
前記吸引孔を介して前記処理対象を吸引し、前記コンベアベルトに固定する吸引手段，
前記回転ブラシの入口部及び出口部に回転可能に設けられており、前記処理対象を前記コンベアベルトに向けて押す固定補助ローラ，
該固定補助ローラを回転させる回転駆動機構，
を備えたことを特徴とする表面処理装置の搬送コンベア。
【請求項２】
前記固定補助ローラは、前記処理対象の搬送を妨げない方向に回転することを特徴とする請求項１記載の表面処理装置の搬送コンベア。
【請求項３】
前記固定補助ローラは、前記処理対象の厚みに応じて、前記コンベアベルトに対して昇降可能であることを特徴とする請求項１又は２記載の表面処理装置の搬送コンベア。
【請求項４】
前記回転駆動機構は、
前記コンベアベルトの下方に回転可能に支持されており、駆動手段によって回転させられるスプロケットと、
前記コンベアベルトの下方に回転可能に支持されており、前記スプロケットと噛み合うギヤと、
該ギヤと前記固定補助ローラに架け渡されたチェーンと、
を含むことを特徴とする請求項１〜３のいずれか一項に記載の表面処理装置の搬送コンベア。
【請求項５】
前記固定補助ローラは、前記ギヤを回転中心として所定範囲内で回動可能であることを特徴とする請求項４記載の表面処理装置の搬送コンベア。
【請求項６】
前記回転駆動機構のチェーンの弛みを防止するテンション機構を設けたことを特徴とする請求項４又は５記載の表面処理装置の搬送コンベア。
【請求項７】
前記コンベアベルトが、
前記多数の吸引孔が形成されたベルト本体と、
該ベルト本体の吸引孔に対応する位置に、前記吸引孔と同寸法以下の多数の吸引孔が形成されており、一方の主面に接着層が設けられるとともに、前記ベルト本体の全体又は一部に接着可能なベルト板，
を含むことを特徴とする請求項１〜６のいずれか一項に記載の表面処理装置の搬送コンベア。
【請求項８】
前記コンベアベルトは、
前記多数の吸引孔が複数の領域に区分して形成されており、
前記複数の領域のうち少なくとも一つの領域に含まれる吸引孔が、他の領域に含まれる吸引孔と比べて、孔の大きさ，または同じ領域内の隣接する吸引孔との間隔の少なくとも一方が異なることを特徴とする請求項１〜６のいずれか一項に記載の表面処理装置の搬送コンベア。
【手続補正２】
【補正対象書類名】明細書
【補正対象項目名】発明の名称
【補正方法】変更
【補正の内容】
【発明の名称】表面処理装置の搬送コンベア
【手続補正３】
【補正対象書類名】明細書
【補正対象項目名】０００１
【補正方法】変更
【補正の内容】
【０００１】
本発明は、成形品の加工過程などにおいて生じるバリの除去や表面研磨，あるいはレーザー加工品の切断ドロスの除去などを行うための表面処理装置の搬送コンベアに関するものである。
【手続補正４】
【補正対象書類名】明細書
【補正対象項目名】０００７
【補正方法】変更
【補正の内容】
【０００７】
本発明は、以上のような点に着目したもので、吸引力を利用した表面処理装置の搬送コンベアにおいて、処理対象の固定力の増大を図ることである。
【手続補正５】
【補正対象書類名】明細書
【補正対象項目名】０００８
【補正方法】変更
【補正の内容】
【０００８】
本発明の搬送コンベアは、処理対象の表面に接触して所望の処理を施す回転ブラシを備えた表面処理装置の搬送コンベアであって、多数の吸引孔が形成されており、前記処理対象を搬送方向へ送って前記回転ブラシを通過させるコンベアベルト，前記吸引孔を介して前記処理対象を吸引し、前記コンベアベルトに固定する吸引手段，前記回転ブラシの入口部及び出口部に回転可能に設けられており、前記処理対象を前記コンベアベルトに向けて押す固定補助ローラ，該固定補助ローラを回転させる回転駆動機構，を備えたことを特徴とする。
【手続補正６】
【補正対象書類名】明細書
【補正対象項目名】０００９
【補正方法】変更
【補正の内容】
【０００９】
主要な形態の一つは、前記固定補助ローラは、前記処理対象の搬送を妨げない方向に回転することを特徴とする。他の形態は、前記固定補助ローラは、前記処理対象の厚みに応じて、前記コンベアベルトに対して昇降可能であることを特徴とする。
【手続補正７】
【補正対象書類名】明細書
【補正対象項目名】００１０
【補正方法】変更
【補正の内容】
【００１０】
更に他の形態は、前記回転駆動機構は、前記コンベアベルトの下方に回転可能に支持されており、駆動手段によって回転させられるスプロケットと、前記コンベアベルトの下方に回転可能に支持されており、前記スプロケットと噛み合うギヤと、該ギヤと前記固定補助ローラに架け渡されたチェーンと、を含むことを特徴とする。
【手続補正８】
【補正対象書類名】明細書
【補正対象項目名】００１１
【補正方法】変更
【補正の内容】
【００１１】
更に他の形態は、前記固定補助ローラは、前記ギヤを回転中心として所定範囲内で回動可能であることを特徴とする。更に他の形態は、前記回転駆動機構のチェーンの弛みを防止するテンション機構を設けたことを特徴とする。
【手続補正９】
【補正対象書類名】明細書
【補正対象項目名】００１２
【補正方法】変更
【補正の内容】
【００１２】
更に他の形態は、前記コンベアベルトが、前記多数の吸引孔が形成されたベルト本体と、該ベルト本体の吸引孔に対応する位置に、前記吸引孔と同寸法以下の多数の吸引孔が形成されており、一方の主面に接着層が設けられるとともに、前記ベルト本体の全体又は一部に接着可能なベルト板，を含むことを特徴とする。あるいは、前記コンベアベルトは、前記多数の吸引孔が複数の領域に区分して形成されており、前記複数の領域のうち少なくとも一つの領域に含まれる吸引孔が、他の領域に含まれる吸引孔と比べて、孔の大きさ，または同じ領域内の隣接する吸引孔との間隔の少なくとも一方が異なることを特徴とする。本発明の前記及び他の目的，特徴，利点は、以下の詳細な説明及び添付図面から明瞭になろう。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明によれば、処理対象を回転ブラシに送るための搬送コンベアにおいて、吸引力によって前記処理対象を固定するための吸引孔がコンベアベルトに設けられるとともに、該コンベアベルトに向けて処理対象を押す固定補助ローラを、前記回転ブラシの入口部及び出口部に設けることとしたので、吸引による固定力の不足を補うことができる。
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】変更
【補正の内容】
【００４３】
本発明によれば、処理対象を回転ブラシに送るためのコンベアベルトに、吸引力によって前記処理対象を固定するための吸引孔が設けられるとともに、前記コンベアベルトに向けて処理対象を押す固定補助ローラを、前記回転ブラシの入口部及び出口部に設けて吸引力による固定力の不足を補うこととしたので、吸引力を利用した搬送コンベアの用途に適用できる。